(57)【要約】  加工される物品の回転動作を抑制するためのデバイスは、全体的にリング形状のガイドアセンブリ含んだ押圧プレートを備えている。ガイドアセンブリは、第１の側部から横方向に伸びた少なくとも２つのガイドピンを備えている。ガイドアセンブリは、少なくとも２つのガイドピンのそれぞれの１つの上に配置された少なくとも２つの弾性デバイスと、第１の方向に移動した容器の開放端部を受け入れて、開放端部を加工デバイスと位置決めするための容器ガイドと、をさらに含んでいる。容器ガイドは、圧力プレートアセンブリの第１の側部に隣接して配置されている。少なくとも２つの弾性デバイスは、第１の方向における容器ガイドの移動に応じて圧縮されるように構成されており、且つ全体的に反対方向である第２の方向における容器ガイドの移動に応じて圧力を減少するように構成されている。
2021514855.tif 000002
【特許請求の範囲】
【請求項１】
駆動シャフトと、
それぞれの容器を保持するように構成された複数のポケットを備えたスターホイールであって、前記複数のポケットは、第１の端部においてそれぞれの押圧プレートを備え、且つ全体的に反対側の端部である第２の端部において回転可能な加工デバイスを備え、前記押圧プレートの各々は、物品の閉鎖端部に接触するように構成された、スターホイールと、
前記回転可能な加工デバイスの各々に全体的に隣接して配置された圧力プレートアセンブリであって、少なくとも２つのガイドピンのそれぞれの上に配置された、少なくとも２つの弾性デバイスを含んだ圧力プレートアセンブリと、
を備えた加工タレットであって、
該加工タレットが第１の位置にある場合、前記少なくとも２つの弾性デバイスは圧縮されており、前記加工タレットが第２の位置にある場合、前記少なくとも２つの弾性デバイスは全体的に圧縮されておらず、
前記押圧プレートと前記回転可能な加工デバイスとの間の距離は、前記第１の位置にある場合よりも前記第２の位置にある場合のほうが大きい、加工タレット。
【請求項２】
前記加工タレットが前記第１の位置にある場合、前記加工タレットは、前記物品の回転を抑制または防止するように構成されている、請求項１に記載の加工タレット。
【請求項３】
前記物品は、前記加工タレットが前記第１の位置にある場合に、前記加工デバイスにより加工されるように構成されている、請求項２に記載の加工タレット。
【請求項４】
前記少なくとも２つの弾性デバイスは、コイルばね、波形バネ、ポリウレタンバネ、圧縮可能なガスバネ、またはそれらの任意の組み合わせを含んでいる、請求項１に記載の加工タレット。
【請求項５】
前記少なくとも２つのガイドピンおよび前記少なくとも２つの弾性デバイスは、前記駆動シャフトと全体的に同軸の方向に、全体的にリング形状のガイドアセンブリから伸びている、請求項１に記載の加工タレット。
【請求項６】
前記加工デバイスは、トリミングデバイス、ねじ切りデバイス、カーリングデバイス、または回転成形デバイスである、請求項１に記載の加工タレット。
【請求項７】
前記物品の閉鎖端部に接触した前記押圧プレートの表面は、前記物品の回転を抑制するように構成されたインサートまたは研磨被覆を含んでいる、請求項１に記載の加工タレット。
【請求項８】
前記インサートは、ゴム製弾性表面を含んでいる、請求項７に記載の加工タレット。
【請求項９】
前記押圧プレートと前記物品の閉鎖端部との間に真空を提供するための、真空マニフォールドをさらに備えている、請求項１に記載の加工タレット。
【請求項１０】
前記押圧プレートの各々は、前記駆動シャフトと全体的に同軸の方向に移動可能な、それぞれのラムアセンブリに配置されている、請求項１に記載の加工タレット。
【請求項１１】
加工される物品の回転動作を抑制するためのデバイスであって、該デバイスは、
全体的にリング形状のガイドアセンブリを含んだ圧力プレートアセンブリであって、前記ガイドアセンブリは、該ガイドアセンブリの第１の側部から横方向に伸びた少なくとも２つのガイドピンを備え、前記ガイドアセンブリは、前記少なくとも２つのガイドピンのそれぞれ１つの上に配置された、少なくとも２つの弾性デバイスをさらに含んだ、圧力プレートアセンブリと、
第１の方向に移動する容器の開放端部を受け入れ、且つ前記容器の開放端部を加工デバイスと整列させるための開口部を備えた容器ガイドであって、前記圧力プレートアセンブリの第１の側部に隣接して配置された容器ガイドと、
を備え、
前記少なくとも２つの弾性デバイスは、第１の方向における前記容器ガイドの移動に応じて圧縮されるように構成されており、前記少なくとも２つの弾性デバイスは、全体的に反対方向の第２の方向における前記容器ガイドの移動に応じて圧力が減らされるように構成されている、デバイス。
【請求項１２】
前記ガイドアセンブリの内径は、前記容器ガイド開口部の内径よりも大きい、請求項１１に記載のデバイス。
【請求項１３】
前記ガイドアセンブリを受け入れるように構成された装着プレートをさらに備え、該装着プレートは開口部をさらに含み、該開口部を通じて前記加工デバイスの少なくとも一部を受け入れる、請求項１１に記載のデバイス。
【請求項１４】
前記加工デバイスは、トリミングデバイス、ねじ切りデバイス、カーリングデバイス、または回転成形デバイスである、請求項１３に記載のデバイス。
【請求項１５】
前記少なくとも２つの弾性デバイスは、コイルバネ、鋼製波形バネ、ポリウレタンバネ、圧縮可能なガスバネ、またはそれらの任意の組み合わせを含んでいる、請求項１１に記載のデバイス。
【請求項１６】
物品を加工する方法であって、該方法は、
複数のポケットを含んだスターホイールであって、前記複数のポケットの各々は、第１の端部において前記物品の閉鎖端部に接触する押圧プレートを含み、および全体的に反対側の端部である第２の端部において回転加工デバイスを含んだスターホイール、を提供するステップと、
物品ガイドであって、自身の内部に容器の反対側の開放端部を受け入れるための開口部と、前記回転加工デバイスと前記物品ガイドとの間に配置された全体的にリング形状のガイドアセンブリと、を備え、該ガイドアセンブリは、前記ガイドアセンブリの第１の側部から全体的に横方向に伸びた少なくとも２つのガイドピンと、該少なくとも２つのガイドピンのそれぞれの１つの上に配置された少なくとも２つの弾性デバイスと、を含んだ物品ガイド、を提供するステップと、
前記押圧プレートまたは前記回転加工デバイスの一方を、第１の距離だけ第１の方向において前記押圧プレートまたは前記回転加工デバイスの他方に向かって移動させ、これにより前記物品の開放端部が、前記物品ガイドを通じて前記回転加工デバイスに向かって移動されるステップと、
前記押圧プレートまたは前記回転加工デバイスを、第２の距離だけ前記第１の方向においてさらに移動させ、これにより前記物品の第２の部分が前記物品ガイドの外側面に接触して、それにより前記物品ガイドを前記加工デバイスに向かって前記回転加工デバイスとは無関係に移動させるステップであって、前記物品の第２の部分は、容器ガイドの開口部の直径よりも大きい直径を有する、移動させるステップと、
第２のラムアセンブリとは無関係な、前記物品ガイドの移動に応じて、少なくとも２つの弾性デバイスを圧縮し、これにより前記物品の開放端部が前記回転加工デバイスにより加工される場合、前記物品の回転動作を抑制または阻止するステップと、
を含んでいる方法。
【請求項１７】
前記押圧プレートまたは前記回転加工デバイスの、全体的に反対側の方向である第２の方向における移動に応じて、前記少なくとも２つの弾性デバイスの圧力を減らすステップをさらに含んでいる、請求項１６に記載の方法。
【請求項１８】
前記少なくとも２つの弾性デバイスは、コイルバネ、鋼製波形バネ、ポリウレタンバネ、圧縮可能なガスバネ、またはそれらの任意の組み合わせを含んでいる、請求項１６に記載の方法。
【請求項１９】
前記加工デバイスは、トリミングデバイス、ねじ切りデバイス、カーリングデバイス、または回転成形デバイスである、請求項１６に記載の方法。
【請求項２０】
前記押圧プレートは、接触して前記物品の回転を抑制するように構成されたインサートまたは研磨仕上げもしくは被覆を含んでいる、請求項１６に記載の方法。
【請求項２１】
第１のラムアセンブリは前記第１の方向に移動し、前記第２のラムアセンブリは全体的に静止したままである、請求項１６に記載の方法。
【発明の詳細な説明】
【技術分野】
【０００１】
本願は、２０１８年２月２７日に出願された米国仮特許出願第６２／６３５，７８２号に対する優先権および利得を主張するものであり、その全体が参照によりここに統合されている。
【０００２】
本開示は、全体的に製造品を形成または加工するためのシステム、方法、およびデバイスに関する。より具体的には、本開示の態様は、加工作業の間に、瓶および缶等の物品または容器に加えられる回転力を減少または排除するための方法および装置に関する。
【背景技術】
【０００３】
容器製造産業において、瓶、缶、ジャー、もしくはそれらに類似したものを含んだ、異なった容器構造を製造および加工するための多様なアプローチが存在している。
【０００４】
容器（例えば缶）の製造の工程において、複数の作業が缶本体に軸方向に加えられる回転力を生じさせ得る。特にそのような力は、例えばトリミング、ねじ切り、カーリング、回転成形、およびそれらに類似したもの等の、缶の開放端部の仕上げにおいて用いられる加工の間に、望ましくなく加えられ得る。これらの望ましくない力は、例えば不完全なトリミング、奇形のネジもしくはカール、またはそれらに類似したもの等の、容器に対する欠陥に帰結し得る。
【発明の概要】
【発明が解決しようとする課題】
【０００５】
したがって、加工作業の間に容器に加えられる回転力を減少または排除するための装置および方法を創出することが、望まれ得る。
【課題を解決するための手段】
【０００６】
ここに開示された一実施形態によれば、加工タレットは、駆動シャフトと、個々の容器を保持するように構成された複数のポケットを備えたスターホイールと、を備えている。複数のポケットは、第１の端部において個々の押圧プレートを備え、且つ全体的に反対側の端部である第２の端部において回転可能な加工デバイスを備えている。押圧プレートの各々は、物品の閉鎖端部に接触するように構成されている。加工タレットは、回転可能な加工デバイスの各々に全体的に隣接して配置された圧力プレートアセンブリをさらに含んでいる。圧力プレートアセンブリは、少なくとも２つのガイドピンのそれぞれの上に配置された、少なくとも２つの弾性デバイスを含んでいる。加工タレットが第１の位置にある場合、少なくとも２つの弾性デバイスは圧縮されており、記加工タレットが第２の位置にある場合、少なくとも２つの弾性デバイスは全体的に圧縮されていない。押圧プレートと回転可能な加工デバイスとの間の距離は、第１の位置にある場合よりも第２の位置にある場合のほうが大きい。
【０００７】
ここに開示された別の実施形態によれば、加工される物品の回転動作を抑制するためのデバイスは、全体的にリング形状のガイドアセンブリを含んだ圧力プレートアセンブリを備えている。ガイドアセンブリは、ガイドアセンブリの第１の側部から横方向に伸びた少なくとも２つのガイドピンを備えている。ガイドアセンブリは、少なくとも２つのガイドピンのそれぞれの１つの上に配置された少なくとも２つの弾性デバイスをさらに含んでいる。そのデバイスは、第１の方向に移動した容器の開放端部を受け入れるための、および容器の開放端部を加工デバイスと位置決めするための開口部を備えた、容器ガイドをさらに含んでいる。容器ガイドは、圧力プレートアセンブリの第１の側部に隣接して配置されている。少なくとも２つの弾性デバイスは、第１の方向における容器ガイドの移動に応じて圧縮されるように構成されている。少なくとも２つの弾性デバイスは、全体的に反対方向である第２の方向における容器ガイドの移動に応じて圧力を減少するように構成されている。
【０００８】
ここに開示された１つの方法によれば、物品を加工する方法は、複数のポケットを含んだスターホイールを設けるステップを含んでいる。複数のポケットの各々は、第１の端部において物品の閉鎖端部に接触し、且つ全体的に反対側の端部である第２の端部において回転加工デバイスに接触する押圧プレートを含んでいる。その方法は、自身の内部に容器の反対側の開放端部を受け入れるための開口部と、回転加工デバイスと物品ガイドとの間に配置された全体的にリング形状のガイドアセンブリと、を設けるステップをさらに含んでいる。ガイドアセンブリは、ガイドアセンブリの第１の側部から全体的に横方向に伸びた少なくとも２つのガイドピンと、少なくとも１つのガイドピンのそれぞれの１つの上に配置された少なくとも２つの弾性デバイスと、を含んでいる。その方法は、押圧プレートまたは回転加工デバイスの一方を押圧プレートまたは回転加工デバイスの他方に向かって、第１の距離だけ第１の方向に移動させ、これにより物品の開放端部が、物品ガイドを通じて回転加工デバイスに向かって移動されるステップをさらに含んでいる。その方法は、押圧プレートまたは回転加工デバイスを第２の距離だけ第１の方向にさらに移動させて、これにより物品の第２の部分が物品ガイドの外側面に突き当たり、それにより物品ガイドを回転加工デバイスとは無関係に加工デバイスに向かって移動させるステップをさらに含んでいる。物品の第２の部分は、容器ガイドの開口部の直径よりも大きい直径を有する。その方法は、第２ラムアセンブリとは無関係な、物品ガイドの移動に応じて、少なくとも２つの弾性デバイスを圧縮し、これにより物品の開放端部が回転加工デバイスにより加工される場合、物品の回転動作を抑制または阻止するステップをさらに含んでいる。
【０００９】
前述の要約は、本開示のあらゆる実施形態またはあらゆる態様を現していない。むしろ、前述の要約は、ここに説明された新規な態様および特徴の幾つかの例を単に提供している。本開示の前述の特徴および利点、ならびに他の特徴および利点は、単独でまたは任意の組み合わせにおいて進歩的であると考えられ、図示された例の以下の詳細な説明、ならびに添付された図および添付された請求項に関連した本発明を実施するためのモードから明確になるだろう。
【図面の簡単な説明】
【００１０】
【図１Ａ】容器が成形装置に入る前の、容器を示した側面図である。
【図１Ｂ】容器が成形装置から出た後の、図１Ａの容器を示した正面図である。
【図２】一実施形態による回転可能な成形装置の部分を示した斜視図である。
【図３】図２の回転可能な成形装置を示した別の斜視図である。
【図４】一実施形態によるクランプデバイスの断面を示した図である。
【図５Ａ】一実施形態による、緩んでいない位置における図４のクランプデバイスの一部の断面を示した図である。
【図５Ｂ】図５Ａのクランプデバイスのバネアセンブリを示した拡大図である。
【図６】一実施形態による、クランプ位置における図４のクランプデバイスの断面を示した図である。
【図７】図４から図６のクランプデバイスに使用するためのバネガイドアセンブリを示した斜視図である。
【発明を実施するための形態】
【００１１】
本開示は、多様な修正形態および代替形態が可能であり、いくつかの代表的な実施形態が、例として図面に示されており、本明細書で詳細に説明されている。しかしながら、本発明の態様は、図面に示されている特定の形態に限定されないことが理解されるべきである。むしろ、本開示は、添付の特許請求の範囲によって定義された本発明の精神および範囲内にあるすべての修正、等価物、および代替物を網羅するものである。
【００１２】
本開示は、多くの異なった型式における実施形態の影響を受けやすい。代表的な実施形態が図示され、且つここに詳細に記載されており、本開示は、本開示の原理の例示として考えられるべきであり、本開示の広範な態様を、例示された実施形態に限定することを意図するものではないことが理解される。その範囲において、例えば要約、概略、および詳細な記載のセクションに開示されているが、請求項に明示的に記載されていない要素および限定は、暗黙的または推論等により、単独または集合的に請求項に組み込まれるべきではない。この詳細な説明を提供する目的のために、特に放棄または論理的に禁止されない限り、単数形は複数形を含み、その逆も同様であり、「含む」、「備える」または「有する」という用語は「限定なしに含む」ことを意味している。さらに、「約」、「ほぼ」、「実質的に」、「おおよそ」などのような近似語は、本明細書では、例えば、「おいて」、「近くで」、もしくは「近傍で」、または「３から５％以内」、または「許容できる製造公差内」、またはそれらの論理的な組み合わせの意味で使用することができる。図面は、例示の目的で提供されており、そこに示される特徴は、必ずしも縮尺通りではない。
【００１３】
ここに記載された把持デバイスは、個別の機械、または機械ライン内の１つ（以上）の機械の一部とし得る。本開示により意図された把持デバイスの仕様を論じる前に、一実施形態による機械および機械ラインの概要的な記載が、概略的に説明される。
【００１４】
機械は、容器１（図１Ａおよび図１Ｂ参照）を成形、加工、または容器１に他の動作を実行するために使用され得、これにより容器１の形状は、図１Ａに示されたような第１の形状から図１Ｂに示されたような第２の形状へと変形される。複数ステージラインにおいて、容器１は最初に第１のステージへと供給され、タレット／スターホイール（例えば図２および図３参照）等の回転可能な成形装置のポケットに進入する。各スターホイールは任意の数のポケットを備え、加工および搬送のために容器を保持し得る。第１のステージを出た後、容器１は第２のステージに進入し、さらに加工／成形される。
【００１５】
複数ステージラインに供給された場合、容器１は例えばネック付けステージ、カーリングステージ、トリミングステージ、ねじ切りステージ、回転成形ステージ、拡張ステージ、および／もしくは任意の他の適切な加工もしくは成形ステージ、またはそれらの組み合わせ等の、任意の数のステージを通じて加工される。容器がすべての加工／成形ステージを通過した場合、容器は機械から排出される。ある実施形態では、複数ステージラインは再循環システムまたはインラインシステムとし得る。
【００１６】
容器１の形状を変形させるために使用され得る、回転可能な成形装置の一例は、図２および図３、ならびに参照によりここに統合された特許文献１に示されている。
【００１７】
図２および図３の非限定的な実施形態を参照すると、回転可能な成形装置または加工タレット１００は、駆動シャフト１０１およびタレットスターホイール１０２を含み得る。スターホイール１０２は複数のポケット１０３を含み、それぞれのポケットは、一端に押圧プレート１１２を、他端に回転可能な加工デバイス（加工スピンドル１０８）を備えている。押圧プレート１１２は容器１の底部、すなわち閉鎖された端部に接触するように構成されている。図示された実施形態においては、押圧プレート１１２は、容器１を加工スピンドル１０８に向かって移動させるための、それぞれの押圧ラムアセンブリ１０６に配置されている。スターホイール１０２は、容器１の保持を補助するために押圧プレート１１２に真空を提供するための真空マニフォールド１１３、１つ以上の押圧ラムアセンブリ１０６を作動させるためのカム（例えばカム１１０）、加工スピンドル１０８を回転させるための駆動ギア、および／または加工の間に容器を加圧するための空気マニフォールド１１５、等をさらに含んでいる。図２および図３の押圧ラムアセンブリ１０６は、タレットスターホイール１０２の外周面の周囲に広がって、その外周面に接続されている。タレット１００の回転、およびカムフォロアとカム１１０との間の相互作用により、押圧ラムアセンブリ１０６は、駆動シャフト１０１に対してスライドする。
【００１８】
タレットスターホイール１０２は駆動シャフト１０１と同軸であり、送り込みスターホイールまたは搬送スターホイールから容器１を受け入れるように構成されている。搬送スターホイールは、第１のステージの加工タレット（例えば成形タレットアセンブリ）から容器を受け入れ、次のステージの加工タレットへと容器を供給するように構成されている。タレットスターホイール１０２は、押圧ラムアセンブリ１０６の数に対応した、任意の適切な数の部品またはポケット１０３を備え得る。
【００１９】
押圧ラムアセンブリ１０６は、駆動シャフト１０１と同軸の方向に移動可能である。押圧ラムアセンブリ１０６は、容器１の外見／形状を変化させるために、容器１を保持し、容器１をその上のそれぞれの加工スピンドル１０８に押し込む。加工スピンドル１０８は、例えばダイまたは拡張機を含み得る。ダイは容器の首部成形のために使用され得、一方で拡張機は、容器の形状を拡張するために使用され得る。他の実施形態（図示略）においては、加工スピンドルは、移動可能な押圧ラムアセンブリに連結されてもよく、加工スピンドルは、容器が保持されて全体的に静止して保持されている間に、容器上に移動／押圧されてもよい。また別の実施形態においては、容器および加工スピンドルの両方は、それぞれの押圧ラムアセンブリに連結されて、互いに向かって移動する。
【００２０】
ここに記載された把持デバイスおよびこの把持デバイスを使用する方法は、回転力が存在し且つ容器の回転が所望されないような、任意の適切な用途に使用され得るが、この装置および方法は、トリミングデバイスに関してここに記載される。
【００２１】
図４から図７を参照すると、ここに記載された把持デバイス２０１は容器１を把持し、容器は、（全体的に加工デバイスに隣接して配置された）圧力プレートアセンブリ２１４と、容器１の回転が抑制または防止される押圧プレート１１２の一方と、の間に挟まれるように構成されている。把持デバイス２０１は、非限定的な一実施形態によるトリマヘッド２００と共に使用され且つトリマヘッドに隣接して配置されるように示された圧力プレートアセンブリ２１４を含んでいる。図５Ａおよび図７に示されたように、圧力プレートアセンブリ２１４は装着プレート３０１、ガイドアセンブリ３００、バネホルダ３０３、および容器または缶ガイド２０３を含んでいる。装着プレート３０１は、第１の端部にガイドアセンブリ（例えばバネガイドアセンブリ３００）を受け入れ、反対側の第２の端部に開口部をさらに含み、加工デバイス（例えばトリマヘッド２００）の少なくとも一部をその開口部を通じて受け入れるように構成されている。バネガイドアセンブリ３００は、回転加工ヘッドと容器または缶ガイド２０３との間に配置されている。容器または缶ガイド２０３は、全体的に装着プレート３０１に隣接して配置されている。
【００２２】
図７に示されたように、バネガイドアセンブリ３００は、全体的にリング形状のガイドプレート３０２を含んでいる。図示された実施形態においては、ガイドプレート３０２は全体的にリング形状であるが、ガイドプレートは、任意の他の適切な形状を有し得ることが意図されている。ガイドプレート３０２は、少なくとも２つの弾性デバイス（例えばバネ２１８）を備え、これらの弾性デバイスのそれぞれは、駆動シャフト１０１と全体的に同軸の横方向においてバネガイドアセンブリ３００の第１の側部から伸びた、少なくとも２つのガイドピン３０４上に配置されている。
【００２３】
複数のガイドピン３０４は、バネガイドアセンブリ３００に沿って全体的に均一に離間されている。個々のバネ２１８は、各々のガイドピン３０４の上に且つその周りに配置されている。バネ２１８の内径はガイドピン３０４の外径よりもわずかに大きく、これによりバネ２１８は、後述のように、容易に圧縮および伸長し得る。任意の適切な数のガイドピンおよび対応した数のバネが使用され得ることが、意図されている。バネ２１８の数およびサイズは、容器１に加えられるクランプ力を決定することを補助している。いくつかの実施形態においては、バネの数を増やすこと、ならびにバネをより少なくたわませて、全体的に均一なクランプ力およびより長い「バネ寿命」を達成すること、が望まれ得る。ガイドピン３０４およびバネ２１８は、図４から図６に示されたように、装着プレート３０１およびバネホルダ３０３の開口部を通過している。
【００２４】
非限定的な一実施形態による把持デバイス２０１の使用が、ここに記載される。図４は、トリミングされる容器１の開放端部３と相互作用するトリマヘッド２００を備えた、押圧ラムアセンブリ１０６を示している。図示された実施形態のトリマヘッド２００は、常に自転／回転しており、これにより事前の成形加工に起因した容器１の開放端部３の波形イヤリングは、整えられることが可能である。いくつかの実施形態においては、トリマヘッド２００は、比較的高速の回転速度で自転する。
【００２５】
図４および図５に示されたように、把持デバイス２０１が非把持位置にある場合、押圧ラムラムアセンブリ１０６に装着された真空押圧プレート１１２は、容器１の保持を補助している。「押圧ストローク」またはトリミング加工の負荷サイクルの間に、容器１の本体は制御された速度および距離において第１の方向（例えば図４に示された矢印Ａの方向）に、第１の位置から圧力プレートアセンブリ２１４および回転するトリマヘッド２００に向かって／内へと軸方向に移動され、これにより容器１の開放端部は、容器または缶ガイド２０３を通じて回転するトリマヘッド２００に向かって第２の位置へと移動させられる。容器または缶ガイド２０３は、容器１の開放端部３をトリマヘッド２００と位置合わせさせることを補助する。
【００２６】
矢印Ａの方向における押圧ラムアセンブリ１０６の第２の距離のさらなる移動は、容器１の開放端部３よりも大きい直径を有する、容器のショルダ２０２を容器または缶ガイド２０３の外側面に接触させ、それにより容器または缶ガイド２０３を第２の位置からトリマヘッド２００に向かって移動させる。容器または缶ガイド２０３のこの移動に応じて、バネ２１８は圧縮され、それにより圧力プレートアセンブリ２１４と押圧プレート１１２との間の容器１にクランプ力を加える。押圧ラムアセンブリ１０６のフルストロークにおいて、タレット１００は第１の位置にあり、この位置において、バネ２１８は圧縮されて、最大クランプ力が得られ得る。結果として生じるクランプ力は、容器１が回転することを抑制または防止し、容器１は加工（例えばトリム）され得る。加工の間の容器１の回転の抑制または防止は、そのことが潜在的に欠陥を減少するために望ましい。押圧プレートと回転可能な加工デバイスとの間の距離は、第１の（「フルストローク」）位置にある場合よりも第２の位置にある場合のほうが大きい。
【００２７】
容器１の開放端部３が加工（例えばトリミング）された後、押圧ラムアセンブリ１０６は、次に押圧ラムアセンブリ１０６に連結された真空押圧プレート１１２による移動によって、トリマヘッド２００から第２の位置内に後退し、この第２の位置において、容器１は、圧力プレートアセンブリ２１４から離れるように移動される。第２の位置において、バネ２１８は圧縮されていないか、または圧力を減らされた状態となり、容器１は、圧力プレートアセンブリ２１４と押圧プレート１１２との間にもはや「クランプ」されていない。
【００２８】
図４から図７に図示された実施形態においては、複数のコイルバネ２１８が、クランプ力を発生させるために使用されている。しかしながら、クランプ力は、限定されるものではないが、波形バネ（例えば鋼製波形バネ）、ポリウレタンバネ、圧縮可能なガスバネ、他の弾性デバイス、それらの任意の組み合わせ、またはそれに類似したものを含む、他の方法および装置を使用して発生されられ得る。
【００２９】
いくつかの非限定的な実施形態においては、押圧プレート１１２は鋼、または他の適切な金属もしくは材料から形成されている。押圧プレート１１２は、同じくまたは代替的にゴム製弾性表面もしくはインサートを備え、この部分は容器１の底端部に接触して、トリミング加工の間に容器１の回転に抵抗することを補助する。押圧プレート１１２は、同じくまたは代替的に、同じ目的を達成するために、接触面に研磨仕上げまたは被覆を備え得る。
【００３０】
ここに記載された実施形態は、トリミングデバイスに関して論じられているが、クランプデバイスは、回転力が存在し且つ容器の回転が望まれていない他の用途に使用されてもよい。そのような用途は、限定されるものではないが、ねじ切り、カーリング、回転成形、およびそれらに類似したものを含んでいる。
【００３１】
本発明は、ここに開示された正確な構成および構造に限定されるものではなく、これまでの記載から明らかになった任意のおよびすべての改造、変形、およびバリエーションが、添付の請求項により決定された本発明の思想および範囲内にある。さらに、本概念は、前述の特徴および態様の任意のおよびすべての組み合わせおよび副結合を含んでいる。
【符号の説明】
【００３２】
１  ・・・容器
３  ・・・開放端部
１００  ・・・加工タレット
１０１  ・・・駆動シャフト
１０２  ・・・タレットスターホイール
１０３  ・・・ポケット
１０６  ・・・押圧ラムアセンブリ
１０８  ・・・加工スピンドル
１１０  ・・・カム
１１２  ・・・押圧プレート
１１３  ・・・真空マニフォールド
１１５  ・・・空気マニフォールド
２００  ・・・トリマヘッド
２０１  ・・・把持デバイス
２０２  ・・・ショルダ
２０３  ・・・容器または缶ガイド
２１４  ・・・圧力プレートアセンブリ
２１８  ・・・バネ
３００  ・・・ガイドアセンブリ
３０１  ・・・装着プレート
３０２  ・・・ガイドプレート
３０３  ・・・バネホルダ
３０４  ・・・ガイドピン
【図１Ａ】
2021514855.tif 000003
【図１Ｂ】
2021514855.tif 000004
【図２】
2021514855.tif 000005
【図３】
2021514855.tif 000006
【図４】
2021514855.tif 000007
【図５Ａ】
2021514855.tif 000008
【図５Ｂ】
2021514855.tif 000009
【図６】
2021514855.tif 000010
【図７】
2021514855.tif 000011
【国際調査報告】
2021514855.tif 000012
2021514855.tif 000013